(57)【要約】  テレビ番組の予約を指示する機能を備えたテレビ受信器が複数台と、記録装置とが接続されたネットワークシステムにおいて、ひとつのテレビ受信器で、種々のテレビ受信器によりなされた番組予約の一覧表を見ることができる様にする。記録装置において、予め決められた共通予約コードを作成し、共通予約コードと共に番組予約指示を順次受け付け、メモリに記録する。ひとつのテレビ受信器から予約の一覧表が要求されると、メモリから共通予約コードと共に番組予約指示が送信され、共通予約コードに基づいて予約の一覧表が作成される。
2009125546.tif 000002
【特許請求の範囲】
【請求項１】
テレビ番組の予約を指示する機能を備えた予約器が複数台と、少なくともひとつの記録装置とが接続されたネットワークシステムにおいて、
上記記録装置は、
各予約器から送られてくる番組予約指示に対し、予め決められた共通予約コードを作成する共通予約コード作成手段と、
共通予約コードと共に番組予約指示を順次受け付け、記憶するメモリと、を有する一方、
上記予約器のそれぞれは、
予約一覧表の要求を出力する要求出力手段と、
予約一覧表の要求に基づき、上記記録装置から送られてくる共通予約コードを含む番組予約指示の全てを受ける予約指示受信手段と、
番組予約指示から共通予約コードだけを読み取る読み取り手段と、
共通予約コードを用いて予約一覧表を作成する予約一覧表作成手段と
を有する、ネットワークシステム。
【請求項２】
テレビ番組の予約を指示する機能を備えた予約器が複数台と、少なくともひとつの記録装置とが接続されたネットワークシステムに用いられる記録装置において、
各予約器から送られてくる番組予約指示に対し、予め決められた共通予約コードを作成する共通予約コード作成手段と、
共通予約コードと共に番組予約指示を順次受け付け、記憶するメモリと、を有する記録装置。
【請求項３】
テレビ番組の予約を指示する機能を備えた予約器が複数台と、少なくともひとつの記録装置とが接続されたネットワークシステムに用いられる予約器において、
予約一覧表の要求を出力する要求出力手段と、
予約一覧表の要求に基づき、上記記録装置から送られてくる共通予約コードを含む番組予約指示の全てを受ける予約指示受信手段と、
番組予約指示から共通予約コードだけを読み取る読み取り手段と、
共通予約コードを用いて予約一覧表を作成する予約一覧表作成手段と
を有する予約器。
【請求項４】
テレビ番組の予約を指示する機能を備えた予約器が複数台と、少なくともひとつの記録装置とが接続されたネットワークシステムにおける予約一覧表を表示する方法であって、
上記記録装置において、
各予約器から送られてくる番組予約指示に対し、予め決められた共通予約コードを作成するステップと、
共通予約コードと共に番組予約指示を順次受け付け、記憶するステップを有する一方、
上記予約器のそれぞれにおいて、
予約一覧表の要求を出力するステップと、
予約一覧表の要求に基づき、上記記録装置から送られてくる共通予約コードを含む番組予約指示の全てを受けるステップと、
番組予約指示から共通予約コードだけを読み取るステップと、
共通予約コードを用いて予約一覧表を作成するステップと
を有する、ネットワークシステムの予約一覧表の表示方法。
【請求項５】
テレビ番組の予約を指示する機能を備えた予約器が複数台と、少なくともひとつの記録装置とが接続されたネットワークシステムに用いられる記録装置おける記録方法であって、
各予約器から送られてくる番組予約指示に対し、予め決められた共通予約コードを作成するステップと、
共通予約コードと共に番組予約指示を順次受け付け、記憶するステップを有する記録方法。
【請求項６】
テレビ番組の予約を指示する機能を備えた予約器が複数台と、少なくともひとつの記録装置とが接続されたネットワークシステムに用いられる予約器で予約一覧表を表示する方法であって、
予約一覧表の要求を出力するステップと、
予約一覧表の要求に基づき、上記記録装置から送られてくる共通予約コードを含む番組予約指示の全てを受けるステップと、
番組予約指示から共通予約コードだけを読み取るステップと、
共通予約コードを用いて予約一覧表を作成するステップと
を有する方法。
【発明の詳細な説明】
【技術分野】
【０００１】
本発明は、ホーム・ネットワークにおけるテレビ放送の番組の録画予約の表示システムおよび方法に関する。
【背景技術】
【０００２】
ひとつの記録装置（録画サーバ）に対し、複数のテレビ受信器や複数のコンピュータ（予約クライアント）が接続されたホーム・ネットワークシステムが家庭で利用されるようになってきている。そのホーム・ネットワークシステムの一例を図１に示す。
図１において、記録装置１は、テレビ受信器Ｘ，Ｙ，Ｚに接続されている録画サーバである。テレビ受信器Ｘ，Ｙ，Ｚは、いずれも番組録画予約機能を有する予約クライアントである。【０００３】
ところで、番組を録画予約する際に番組を指定する方法（番組指定方法）として、種々の方法が知られている。その代表例として次の４種がある。
（１）ダイレクトチャンネル（DIRECT MANUAL） 法
（２）ダイレクトＣＤＳ  ＥＰＧ (DIRECT CDSEPG) 法
（３）ダイレクトＣＤＳ  ＮＯＮＥＰＧ (DIRECT CDSNONEPG) 法
（４）ダイレクトプログラムコード (DIRECT PROGRAM CODE) 法【０００４】
上記（１）は、選局用リモコン番号などチャンネルを一意に識別する情報（以後、チャンネル情報と記載する）と録画開始時刻、録画時間とを指定することで、予約クライアントが録画したい番組を一意に指定する方法である。
上記（２）は、録画サーバがＤＬＮＡ（Digital Living Network Alliance）ガイドラインに基づいてＥＰＧ情報（電子番組ガイド）を番組単位で公開する機能を有する場合において、予約クライアントがＤＬＮＡガイドラインにて規定されているＣＤＳ（Content Directory Service）のコンテンツ検索コマンド（以後、CDS:Browseと記載する）を用いて番組の番組識別情報（CDS Item ID）を検索し、当該番組識別情報（CDS Item ID）を指定することで録画したい番組を一意に指定する方法である。
上記（３）は、録画サーバがＤＬＮＡガイドラインに基づいてEPG情報をチャンネル単位で公開する機能を有する場合において、予約クライアントが予約したい番組を放送している放送局の仮想チャンネルＩＤ（CDS Item ID）をCDS:Browseコマンドを用いて検索し、仮想チャンネルＩＤ（CDS Item ID）と録画開始時刻、録画時間とを指定することで録画したい番組を一意に指定する方法である。
上記（４）は、第三者機関が各番組ごとに固有のＩＤを割り振り新聞や雑誌などで公開している場合において、予約クライアントが番組固有ＩＤ（Program Code）を指定することで録画したい番組を一意に指定する方法である。
テレビ受信器Ｘは、上記（１）の予約機能を有し、テレビ受信器Ｙは、上記（１）と（２）の予約機能を有し、テレビ受信器Ｚは、上記（１）と（３）の予約機能を有しているものとする。また、記録装置は、（１）、（２）、（３）による番組予約機能を提供するものとする。【０００５】
今、利用者により、テレビ受信器Ｘにおいて番組「朝のニュース」を（１）の方法で指定して予約し、テレビ受信器Ｙにおいて番組「日本料理」を（２）の方法で指定して予約し、テレビ受信器Ｚにおいて番組「ゴルフレッスン」を（３）の方法で指定して予約したとする。これら３つの予約情報は、記録装置１に送られ、受け付けられる。具体的には、予約クライアントであるテレビ受信器Ｘ、Ｙ、Ｚは、ＤＬＮＡで規定されるＳＲＳ（Scheduled Recording Service）の予約投入コマンド（SRS:CreateRecordSchedule）をＳＯＡＰ（Simple Object Access Protocol）にて規定されるプロトコルで記録装置１へ送信する。記録装置１は、予約投入コマンドのレスポンスとして予約識別ＩＤと録画先情報を含む予約録画完了情報とを対応する予約クライアントに送信すると共に、予約時間が来ると、予約した録画を実行する。【０００６】
利用者がテレビ受信器Ｘの画面上において、記録装置１が受け付けた全ての予約情報の一覧表を見ようとした場合、テレビ受信器Ｘは記録装置１に対してＳＲＳの予約一覧取得コマンド（SRS:BrowseRecordSchedules）を作成してＳＯＡＰプロトコルで送信し、そのレスポンスとして予約一覧情報を受信し、受信した予約一覧情報を表示させることで全ての予約情報の一覧を確認できる。しかし、通常、予約一覧情報における予約番組情報は前記テレビ受信器X、Y、Zが各々予約した際に指定した前記（１）、（２）、（３）の情報として返される。したがってテレビ受信器Ｘには予約機能（１）しか備わっていないので、予約機能（１）で予約した番組情報だけしか見ることができない。すなわち、テレビ受信器Ｘで予約された「朝のニュース」は、予約の確認をすることができるが、「日本料理」と「ゴルフレッスン」は、予約の確認をすることができない（図２Ａ）。
同様に、利用者がテレビ受信器Ｙの画面上において、記録装置１が受け付けた全ての予約情報の一覧表を見ようとした場合、テレビ受信器Ｙには予約機能（１）、（２）しか備わっていないので、予約機能（１）、（２）で予約した番組「朝のニュース」と「日本料理」の情報だけしか見ることができない（図２Ｂ）。【０００７】
また、同様に、利用者がテレビ受信器Ｚの画面上において、記録装置１が受け付けた全ての予約情報の一覧表を見ようとした場合、テレビ受信器Ｚには予約機能（１）、（３）しか備わっていないので、予約機能（１）、（３）で予約した番組「朝のニュース」と「ゴルフレッスン」の情報だけしか見ることができない（図２Ｃ）。
【特許文献１】特開２００５−２４４３７２号公報
【発明の開示】
【発明が解決しようとする課題】
【０００８】
以上、説明したように、予約クライアントが対応する／解釈可能な番組指定方法は機種毎に異なるため、特定の番組指定方法にしか対応していないテレビ受信器においては、種々のテレビ受信器Ｘ，Ｙ，Ｚからなされた予約情報の全てを見ることができない場合が生じていた。
従って本発明では、ひとつのテレビ受信器で、記録装置が受け付けた全ての予約情報を見ることができるようにすることを、課題とする。
【課題を解決するための手段】
【０００９】
本発明の第１の観点によると、テレビ番組の予約を指示する機能を備えた予約器が複数台と、少なくともひとつの記録装置とが接続されたネットワークシステムにおいて、
上記記録装置は、
各予約器から送られてくる番組予約指示に対し、予め決められた共通予約コードを作成する共通予約コード作成手段と、
共通予約コードと共に番組予約指示を順次受け付け、記憶するメモリと、を有する一方、
上記予約器のそれぞれは、
予約一覧表の要求を出力する要求出力手段と、
予約一覧表の要求に基づき、上記記録装置から送られてくる共通予約コードを含む番組予約指示の全てを受ける予約指示受信手段と、
番組予約指示から共通予約コードだけを読み取る読み取り手段と、
共通予約コードを用いて予約一覧表を作成する予約一覧表作成手段と
を有する、ネットワークシステムを提供する。【００１０】
本発明の第２の観点によると、テレビ番組の予約を指示する機能を備えた予約器が複数台と、少なくともひとつの記録装置とが接続されたネットワークシステムにおける予約一覧表を表示する方法であって、
上記記録装置において、
各予約器から送られてくる番組予約指示に対し、予め決められた共通予約コードを作成するステップと、
共通予約コードと共に番組予約指示を順次受け付け、記憶するステップを有する一方、
上記予約器のそれぞれにおいて、
予約一覧表の要求を出力するステップと、
予約一覧表の要求に基づき、上記記録装置から送られてくる共通予約コードを含む番組予約指示の全てを受けるステップと、
番組予約指示から共通予約コードだけを読み取るステップと、
共通予約コードを用いて予約一覧表を作成するステップと
を有する、ネットワークシステムの予約一覧表の表示方法を提供する。
なお、予約器とは、予約機能を有する機器、例えばテレビ受信器、記録装置、携帯電話、パソコンなどを言う。
【発明の効果】
【００１１】
本発明においては、記録装置において、予約情報を共通予約コードで生成するので、共通予約コードを識別可能なネットワークに接続されたある一つのテレビ受信器（本テレビ受信器という）において、ネットワークに接続された他のテレビ受信器が対応し、本テレビ受信器は対応しない番組指定方法で予約された番組であっても、予約された番組は、もれなく予約一覧表に表すことができる。
【図面の簡単な説明】
【００１２】
【図１】従来のネットワークシステムのブロック図である。
【図２Ａ】従来のテレビ受信器で表示される予約情報の一覧表を示した画面表示例である。
【図２Ｂ】別の従来のテレビ受信器で表示される予約情報の一覧表を示した画面表示例である。
【図２Ｃ】更に別の従来のテレビ受信器で表示される予約情報の一覧表を示した画面表示例である。
【図３】本発明に係るネットワークシステムのブロック図である。
【図４Ａ】本発明に係るテレビ受信器で表示される予約情報の一覧表を示した画面表示例である。
【図４Ｂ】本発明に係る別のテレビ受信器で表示される予約情報の一覧表を示した画面表示例である。
【図４Ｃ】本発明に係る更に別のテレビ受信器で表示される予約情報の一覧表を示した画面表示例である。
【図５Ａ】本発明に係るテレビ受信器の予約機能に係る部分のブロック図である。
【図５Ｂ】本発明に係る別のテレビ受信器の予約機能に係る部分のブロック図である。
【図５Ｃ】本発明に係る更に別のテレビ受信器の予約機能に係る部分のブロック図である。
【図６】本発明に係る記録装置のブロック図である。
【図７Ａ】テレビ受像器２００Ａからの録画予約情報のコマンド例である。
【図７Ｂ】テレビ受像器２００Ｂからの録画予約情報のコマンド例である。
【図７Ｃ】テレビ受像器２００Ｃからの録画予約情報のコマンド例である。
【図７Ｄ】記録装置から送信される予約一覧取得コマンドのレスポンス例である。
【図８】録画予約一覧表の一例である。
【符号の説明】
【００１３】
１００      記録装置
２００Ａ    テレビ受信器
２００Ｂ    テレビ受信器
２００Ｃ    テレビ受信器
４、２１    ＤＬＮＡ解析部
６          番組識別情報解読・変換部
８          共通予約コード作成部
１０        共通予約タグ挿入部
１２        予約キューリストメモリ
１４        タイマー
１６        レコーダ
２２        予約一覧データ抽出部
２４        番組識別情報解読・生成部
２６        タグ検出部
２８        共通予約コード読み取り部
３０        情報組み立て部
３２        予約一覧表作成部
３４        操作部
【発明を実施するための最良の形態】
【００１４】
本発明にかかる番組の録画予約の表示システムは、少なくともひとつの録画サーバに対し、複数の予約クライアントが接続されたネットワークシステムにおいて用いられる。録画サーバはチューナから受信した映像信号や外部入力端子から入力された信号を録画する機能を備えた装置であり、例えばビデオデッキ、ハードディスク／ＤＶＤレコーダ、パーソナルコンピュータ、携帯電話、ソフトウェアプログラムなどがこれに相当する。予約クライアントはユーザによる入力に応じて特定の番組をネットワーク経由で予約する機能を備えた装置であり、例えばテレビ受信器、パーソナルコンピュータ、ハードディスク／ＤＶＤレコーダ、携帯電話、ソフトウェアプログラムなどが相当する。【００１５】
＜実施の形態１＞
図３は、本発明にかかる番組の録画予約の表示システムが備わったネットワークシステムを示す。図３において１００は記録装置、２００Ａ，２００Ｂ，２００Ｃはテレビ受信器である。テレビ受信器を一般的に示す場合はテレビ受信器２００とあらわす。
テレビ受信器２００Ａ，２００Ｂ，２００Ｃは、いずれも、少なくとも１種類の番組録画予約機能を有する。たとえば、テレビ受信器２００Ａは、上述した（１）の番組指定方法による予約機能を有するものとする。テレビ受信器２００Ｂは、上述した（１）と（２）の２つの番組指定方法による予約機能を有するものとする。テレビ受信器２００Ｃは、上述した（１）と（３）の番組指定方法による予約機能を有するものとする。ここで示す予約機能は、単なる一例であり、他の予約機能を有するものであってもよい。
図５Ａ，５Ｂ，５Ｃは、それぞれ、本発明にかかる録画予約装置を備えたテレビ受信器２００Ａ，テレビ受信器２００Ｂ，テレビ受信器２００Ｃを示す。【００１６】
テレビ受信器２００Ａ，２００Ｂ，２００Ｃのいずれも、Ｉ／Ｏポート２０と、ＤＬＮＡ解析部２１と、予約一覧データ抽出部２２と、番組識別情報解読・生成部２４と、タグ検出部２６と、共通予約コード読み取り部２８と、情報組み立て部３０と、予約一覧表作成部３２と、操作部３４を有する。操作部３４は、例えばＧＵＩ画面描画制御部（図示せず）及びテレビ受信器のリモコン受光部（図示せず）からなり、電子番組表や番組識別情報入力画面を描画し、リモコン操作により電子番組表から予約したい番組の予約操作を番組識別情報解読・生成部２４へ指示したり、ユーザが入力した番組識別情報（例えばチャンネル番号と録画開始時刻、録画時間、録画画質などの入力情報）に基づき番組予約操作を番組識別情報解読・生成部２４へ指示する。【００１７】
テレビ受信器２００Ａは、（１）の番組識別方法のみに対応するため、番組識別情報解読・生成部２４には、手動入力予約解読・生成部２４ａのみが備わっている。
テレビ受信器２００Ｂは、（１）ダイレクトチャンネル（DIRECT MANUAL）法と、（２）ダイレクトＣＤＳ  ＥＰＧ (DIRECT CDSEPG)法の２つの予約機能を有するので、番組識別情報解読・生成部２４には、手動入力予約解読・生成部２４ａと、ＣＤＳ  ＥＰＧ入力予約解読・生成部２４ｂが備わっている。
テレビ受信器２００Ｃは、（１）ダイレクトチャンネル（DIRECT MANUAL）法と、（２）ダイレクトＣＤＳ  ＮＯＮＥＰＧ (DIRECT CDSNONEPG)法の２つの予約機能を有するので、番組識別情報解読・生成部２４には、手動入力予約解読・生成部２４ａと、ＣＤＳ  ＮＯＮＥＰＧ入力予約解読・生成部２４ｃが備わっている。【００１８】
今、テレビ受信器２００Ａにおいて、ユーザにより番組「朝のニュース」を放送する放送局のチャンネル番号と、番組「朝のニュース」の放送開始日時、番組「朝のニュース」の番組放映時間とが、操作部３４を介して入力され、「朝のニュース」の番組が予約されたとする。この場合は、図５Ａの手動入力解読・生成部２４ａにより、手動入力に基づく予約コードデータＲａ（Ｄ１）（ＳＲＳサービス準拠）が作成され、作成された予約コードデータＲａ（Ｄ１）はＤＬＮＡ解析部２１においてSRS:CreateRecordScheduleコマンドとして作成され、Ｉ／Ｏポート２０を介して記録装置１００に送られる。
続いて、テレビ受信器２００Ｂでは、ＤＬＮＡガイドラインに基づき、記録装置１００のＥＰＧ情報をCDS:Browseコマンドで取得し、当該EPG情報を操作部３４において電子番組表として表示する。ユーザが、操作部３４が表示する電子番組表を介して「日本料理」の番組を選択し予約操作を行った場合、当該番組の番組識別情報（CDS item ID）を前記CDS:Browseコマンドのレスポンスから抽出し図５ＢのＣＤＳ  ＥＰＧ入力予約解読・生成部２４ｂに引き渡す。CDS EPG入力予約解読生成部２４ｂは、番組識別情報（CDS Item ID）から予約コードデータＲｂ（Ｄ１）を作成し、作成された予約コードデータＲｂ（Ｄ１）はＤＬＮＡ解析部２１においてSRS:CreateRecordScheduleコマンドとして作成され、Ｉ／Ｏポート２０を介して記録装置１００に送られる。【００１９】
さらにその後、テレビ受信器２００Ｃでは、ＤＬＡＮガイドラインに基づき、記録装置１００のチャンネル情報をCDS:Browseコマンドで取得し、操作部３４により取得したチャンネル情報をチャンネルリストとして表示する。ユーザが、操作部３４が表示するチャンネルリストを介して「ゴルフレッスン」の番組が放送されるチャンネルとその時間帯が選択し予約操作を行った場合、当該チャンネルの仮想チャンネルＩＤ（CDS item ID）を前記CDS:Browseコマンドのレスポンスから抽出し放送時間帯と共に図５ＣのＣＤＳ  ＮＯＮＥＰＧ入力解読・生成部２４ｃに引き渡す。ＣＤＳ  ＮＯＮＥＰＧ入力解読・生成部２４ｃは仮想チャンネルＩＤ（CDS item ID）と放送時間帯により、ＣＤＳ  ＮＯＮＥＰＧ入力に基づく予約コードデータＲｃ（Ｄ１）を作成し、作成された予約コードデータＲｃ（Ｄ１）はＤＬＮＡ解析部２１においてSRS:CreateRecordScheduleコマンドとして作成され、Ｉ／Ｏポート２０を介して記録装置１００に送られる。
ここで、図７Ａ，７Ｂ，７Ｃは、それぞれテレビ受信器２００Ａ，２００Ｂ，２００Ｃにおける録画予約時のSRS:CreateRecordScheduleコマンド内のＸＭＬ文書（SRS Document）で示された録画予約情報の例を示す。【００２０】
図７Ａは、テレビ受信器２００Ａ内で作成された録画予約情報７０１を示す。録画予約情報７０１は、図５Ａの予約コードＲａ（Ｄ１）で示される番組「朝のニュース」の録画予約情報である。上述したように、テレビ受信器２００Ａによる予約は（１）ダイレクトチャンネル（DIRECT MANUAL） 法に基づくので、録画予約番組は、予約方法が（１）であることを指定する情報（ｃｌａｓｓ要素）と、前記チャンネル情報を指定する情報（scheduledChannelID要素）と、録画開始時間（scheduledStartDateTime要素）と、録画期間（scheduledDuration要素）を組み合わせた情報７０４によって識別される。【００２１】
図７Ｂは、テレビ受信器２００Ｂ内で作成された録画予約情報７０２を示す。録画予約情報７０２は、図５Ｂの予約コードＲｂ（Ｄ１）で示される番組「日本料理」の録画予約情報である。上述したように、テレビ受信器２００Ｂによる予約は（２）ダイレクトＣＤＳ  ＥＰＧ (DIRECT CDSEPG) 法に基づくので、録画予約番組は、予約方法が（２）であることを指定する情報（class要素）と、ＤＬＮＡサーバである記録装置１００が各番組毎に割り当てた前記番組識別情報（CDS Item ID）（scheduledCDSObjectID要素）７０５によって識別される。なお、前述のように番組識別情報（CDS Item ID）は、ＤＬＮＡクライアントであるテレビ受信器２００Ｂが、ＤＬＮＡコンテンツとして番組を検索することによって取得される。【００２２】
図７Ｃは、テレビ受信器２００Ｃ内で作成された録画予約情報７０３を示す。録画予約情報７０３は、図５Ｃの予約コードＲｃ（Ｄ１）で示される番組「ゴルフレッスン」の録画予約情報である。上述したように、テレビ受信器２００Ｃによる予約は（３）ダイレクトＣＤＳ  ＮＯＮＥＰＧ (DIRECT CDSNONEPG) 法に基づくので、録画予約番組は、予約方法が（３）であることを指定する情報（class要素）と、ＤＬＮＡサーバである記録装置１００が各チャンネル毎に割り当てた前記仮想チャンネルＩＤ（CDS Item ID）（ScheduledCDSObjectID要素）と、録画開始時間（scheduledStartDateTime要素）と、録画期間（scheduledDuration要素）を組み合わせた情報７０６によって識別される。なお、前述のように仮想チャンネルＩＤ（CDS Item ID）は、ＤＬＮＡクライアントであるテレビ受信器２００Ｃが、ＤＬＮＡコンテンツとしてチャンネルを検索することによって取得される。【００２３】
図６は、本発明にかかる録画予約装置を備えた記録装置１００を示す。記録装置１００は、Ｉ／Ｏポート２と、ＤＬＮＡ解析部４と、番組識別情報解読・変換部６と、共通予約コード作成部８と、共通予約タグ挿入部１０と、予約キューリストメモリ１２と、タイマー１４と、レコーダ１６を有する。【００２４】
以下の説明では、テレビ受信器２００Ａで「朝のニュース」の予約がなされ、テレビ受信器２００Ｂで「日本料理」の予約がなされた後、テレビ受信器２００Ｃから「ゴルフレッスン」の番組が予約される場合について説明する。ＤＬＮＡ解析部４は、Ｉ／Ｏポート２を介して受信したＳＯＡＰコマンドを解析し、解析結果を番組識別情報解読・変換部６または予約キューリストメモリ１２へ出力する。例えば、テレビ受信器２００ＣからSRS:CreateRecordScheduleコマンドにより予約コードデータＲｃ（Ｄ１）を受信した場合は、SRS:CreateRecordScheduleコマンドから予約コードデータＲｃ（Ｄ１）を抽出し、抽出された予約コードデータＲｃ（Ｄ１）を番組識別情報解読・変換部６へ出力する。また、例えば、テレビ受信器２００Ｃから予約一覧取得コマンドSRS:BrowseRecordSchedulesコマンドを受信した場合は、予約キューリストメモリ１２へ予約一覧データ取得要求を出力する。【００２５】
番組識別情報解読・変換部６は、予約コードデータＲｃ（Ｄ１）を解析して番組識別情報を抽出するとともに、番組識別情報を記録装置１００に対応するチューナ情報／録画タイマー情報に変換して予約キューリストメモリ１２へ記憶させる。ここで番組識別情報解読・変換部６には種々解読部が備わっている。図６に示す例では、手動入力予約解読部６ａ、ＣＤＳ  ＥＰＧ入力予約解読部６ｂ、ＣＤＳ  ＮＯＮＥＰＧ入力予約解読部６ｃ、プログラムコード入力予約解読部６ｄの４つの解読部が備わっている。予約コードデータＲｃ（Ｄ１）は、（３）ダイレクトＣＤＳ  ＮＯＮＥＰＧ (DIRECT CDSNONEPG) 法で予約されたので、ＣＤＳ  ＮＯＮＥＰＧ入力予約解読部６ｃで解読される。どの方式で予約されたかを判別するため、例えば識別コード又はフラグが予約コードデータＲｃ（Ｄ１）に備わっている。【００２６】
番組識別情報解読・変換部６のＣＤＳ  ＮＯＮＰＥＧ入力予約解読部６ｃでオリジナルデータであるチューナ情報、録画タイマー情報に変換された予約コードデータに関するデータを含むものをＲｃ（Ｄ１，Ｄ２）とする。ここでＤ１は、（３）の番組識別方法による番組識別ＩＤである。Ｄ２は、変換後の、記録装置１００が実際に録画開始するために必要な録画予約情報であり、例えばチューナ情報や、録画タイマー情報、画質等の録画パラメータ情報がこれに当たる。予約コードデータＲｃ（Ｄ１，Ｄ２）には、予約クライアントであるテレビ受信器２００Ｃから予約された際に指定された番組識別情報であるパラメータＤ１と変換後の録画予約情報パラメータＤ２の両方が加わっている。【００２７】
共通予約コード作成部８は、解読／変換した録画予約情報を、共通予約コードに変換し、共通予約コードＤ３を作成する。共通予約コードＤ３は、解読部６ａ〜６ｄのいずれかひとつの方式による番組識別ＩＤ、たとえば、チャンネル番号と録画開始日時、録画時間により番組を指定する（１）の番組識別方法を採用してもよいし、解読６ａ〜６ｄ以外の方式によるコードを採用してもよい。共通予約コードに変換された予約コードは、パラメータＤ３で表される。ここでは、放送局を特定するための識別子（ｎｅｔｗｏｒｋ＿ｉｄ、ｔｒａｎｓｐｏｒｔ＿ｉｄ、ｓｅｒｖｉｃｅ＿ｉｄ）と番組を特定するための識別子（ｅｖｅｎｔ＿ｉｄ）からなるＳＩ（Ｓｅｒｖｉｃｅ  Ｉｎｆｏｒｍａｔｉｏｎ）情報を共通予約コードとして設定する。
共通予約タグ挿入部１０は、共通予約コード作成部８で作成された共通予約コード、すなわち、パラメータＤ３に対し共通予約タグを加える。共通予約タグの代わりに、識別フラグや識別ＩＤ等の識別マークを加えるようにしてもよい。共通予約タグが加わった予約コードデータをＲｃ（Ｄ１，Ｄ２，Ｄ３）とする。なお、共通予約タグ挿入部１０から出力される予約コードデータにおいてパラメータＤ１，Ｄ２の両方、またはいずれか一方を省略してもよい。【００２８】
予約キューリストメモリ１２には、テレビ受信器２００Ａ，２００Ｂまたは２００Ｃから送られてきた予約コードデータが順番に蓄えられる。ここで説明する例においては、すでに予約コードデータＲａ（Ｄ１，Ｄ２，Ｄ３）、Ｒｂ（Ｄ１，Ｄ２，Ｄ３）が記録されており、今、まさに３つ目の予約コードデータＲｃ（Ｄ１，Ｄ２，Ｄ３）が記録されるところである。パラメータＤ１，Ｄ２，Ｄ３は、互いに表現形式が異なるパラメータであるが、いずれも、少なくとも予約チャンネル、予約開始時刻、予約終了時刻（または番組時間長さ）の情報を有するパラメータである。
タイマー１４は、予約キューリストメモリ１２に記録されている各予約コードデータのパラメータＤ２のうちの録画開始日時を確認し、タイマー１４の時刻が各予約コードデータＲａ，Ｒｂ，Ｒｃのいずれかの録画開始日時に到達した場合、パラメータＤ２の情報に基づいてレコーダ１６にチャンネル番号と録画時間、録画パラメータを通知し、記録装置１００のチューナ等の選局・受信手段（図示せず）を介して番組の録画を開始させる。【００２９】
次に、全ての予約情報を用いて予約一覧表が作成される動作について説明する。まず、テレビ受信器２００Ｃにおいて、全ての予約情報を見るための動作について説明する。【００３０】
図５Ｃの操作部３４により、予約一覧表を作成するための予約一覧データの要求が出される。具体的には予約一覧取得コマンドであるSRS:BrowseRecordSchedulesコマンドが記録装置１００へ送信される。この要求は、ＤＬＮＡ解析部４、Ｉ／Ｏポート２０、２を介して予約キューリストメモリ１２（図６）に送られる。従来の方法であれば、予約一覧取得コマンドのレスポンスとして各予約コードデータのパラメータＤ１のみが送信されるが、本実施の形態では、予約キューリストメモリ１２から予約コードデータの全てであるＲａ（Ｄ１，Ｄ２，Ｄ３）、Ｒｂ（Ｄ１，Ｄ２，Ｄ３）、Ｒｃ（Ｄ１，Ｄ２，Ｄ３）の各パラメータＤ１とともに、パラメータＤ２，Ｄ３が予約一覧取得コマンドのレスポンスとして送信される。【００３１】
ここで、図７Ｄに予約一覧取得コマンドのレスポンスとして記録装置１００から送信されるSRS:BrowseRecordSchedulesレスポンス内における録画予約一覧情報の例を示す。録画予約一覧情報７０７には、共通予約コード７０８（Ｄ３に相当する）が含まれている。録画予約一覧情報７０７には、共通予約コード７０８の他、各録画予約番組の番組識別情報７０４〜７０６（Ｄ１に相当する）が含まれる。【００３２】
なお、テレビ受信機２００Ａ，２００Ｂ，２００Ｃで録画予約された番組以外に、記録装置１００自身において録画予約した番組も、録画予約一覧情報７０７に含まれていてもよい。この場合、記録装置１００自身においてする予約は、SRS:CreateRecordScheduleコマンドによる予約ではないので、共通予約コード７０８のみの情報となるか、直接チャンネル指定がなされた予約として扱われ、番組識別情報７０４のパターンの情報と共通予約コード７０８の組み合わせの情報となる。【００３３】
上記レスポンスはＩ／Ｏポート２，２０、ＤＬＮＡ解析部２１を介して予約一覧データ抽出部２２に送られる。予約一覧データ抽出部２２では、予約一覧取得要求コマンド（SRS:BrowseRecordSchedules）の応答パケットから予約一覧データである予約コードデータのパラメータＤ１，Ｄ３が抽出される。タグ検出部２６は、抽出されたパラメータＤ３の共通番組識別情報タグを検出する。検出された共通予約タグで特定される共通番組識別ＩＤが、共通予約コード読み取り部２８で読み取られる。従って、共通予約コード読み取り部２８からは、共通予約コードのみのパラメータＤ３で表された予約コード群Ｒａ（Ｄ３），Ｒｂ（Ｄ３），Ｒｃ（Ｄ３）が出力される。情報組み立て部３０は、予約コード群にある共通予約コードのパラメータＤ３を用いて予約一覧表に必要なデータを組み合わせる。予約一覧表作成部３２は、全ての予約の一覧表を作成し、画面に表示する（図４Ｃ）。図４Ｃに示すように、テレビ受信器２００Ｃで予約一覧表を見る場合、テレビ受信器２００Ｃで行った予約番組（ゴルフレッスン）のみならず、他のテレビ受信器２００Ａ，２００Ｂで行った予約番組であって、テレビ受信器２００Ｃにはない予約機能により予約された番組も、もれなく予約一覧表に表すことができる。すなわち、予約一覧表は、共通予約コードのパラメータＤ３を用いて作成されているので、どのテレビ受信器、またはどの予約方式で予約を行ったかに関係なく、予約された番組がもれなく全て表示される。【００３４】
図８に録画予約一覧表を示す。録画予約一覧表は、全てのテレビ受信器で録画予約した番組を表示するだけでなく、記録装置１００自身により録画予約した番組、例えば「ドラマ１４時」も表示する。なお、録画予約した番組が、通常の録画予約である場合はハイライト表示８０１がなされ、自動録画予約である場合は白抜き表示８０２がなされるようにしても良い。ここで、通常の録画予約とは、番組に対し、個々に予約を行う場合を言い、自動録画予約とは、例えば連続する番組「スタートレック」のある回の録画予約を行うと、次回以降は自動的に録画予約がなされる予約を言う。自動録画予約はユーザの視聴履歴等に基づいて行うことも可能である。【００３５】
また、自動録画予約番組である場合は、たとえＳＯＡＰレスポンスとして録画予約情報を受信していたとしても表示しないようにしてもよい。
また、記録装置１００では、自動録画予約と通常の録画予約に優先順位付けを行い、例えば、自動録画予約番組の録画予約コマンドを受信した場合は、記録装置１００自身の記録可能容量に基づいて録画可否を判断するようにしてもよい。
また、既に自動録画予約されている場合において、ユーザによる通常の録画予約が投入された場合、自動録画予約と通常の録画予約の録画時間が少なくとも一部分重複したり、録画に必要な記録容量が足りない場合などは、通常の録画予約を優先するものとし、例えば自動録画予約の時間を短く調節するなどしてもよい。
このほか、記録容量が足りなくなった場合は、自動録画番組を消去したり、未視聴期間が長い自動録画番組を自動的に削除しても良い。
以上の説明において、テレビ受信器を用いて予約動作を行う説明をしたが、テレビ受信器以外の機器、例えば録画装置、携帯電話、パソコンなどによってもネットワークシステムに接続されていれば予約動作を行う事ができる。ここでは予約動作を行うことができる機器を予約器と言う。【００３６】
なお、テレビ受信器２００Ｃにおいて、従来のやり方で予約一覧データを見ることも可能である。この場合は、予約一覧データの表示モードを、従来モードに切り替えると、予約一覧データ抽出部２２からのデータは、番組識別情報解読・生成部２４に送られ、存在する予約機能に対応する予約一覧データだけを見ることが可能となる。この場合は、テレビ受信器２００Ｃに備わっている予約機能に対応した機能で予約された番組のみ予約一覧表に現れる。
以上、テレビ受信器２００Ｃにおける全ての予約情報を見るための動作について説明したが、テレビ受信器２００Ａ及びテレビ受信器２００Ｂにおいても同様の処理を行なうことにより、テレビ受信器２００Ａからテレビ受信器２００Ｃの全ての予約一覧表を作成し、画面表示することができる（図４Ａ、図４Ｂ参照）。【００３７】
なお、本実施の形態では、記録装置１００は予約一覧取得コマンドのレスポンスとして共通予約コードをテレビ受信器２００Ａ乃至２００Ｃへ送信しているが、共通予約コード作成部８が更にＤＬＮＡ公開ＩＤを作成し、共通予約コードとともにＤＬＮＡ公開ＩＤをレスポンスとして送信してもよい。この場合、テレビ受信器２００Ａ乃至２００Ｃは、ＤＬＮＡ公開ＩＤに対して、コンテンツ情報（ＤＩＤＬ：Ｄｉｇｉｔａｌ  Ｉｔｅｍ  Ｄｅｃｌａｒａｔｉｏｎ  Ｌａｎｇｕａｇｅ）を取得するためのＣＤＳ（Ｃｏｎｔｅｎｔ  Ｄｉｒｉｖｅｒｙ  Ｓｅｒｖｉｃｅ）サービス準拠の情報取得コマンドであるCDS:Browseコマンドを記録装置１００へ送信することで、そのレスポンスとしてコンテンツ情報やコンテンツのＵＲＬ情報を取得することができる。これにより、取得したコンテンツ情報やＵＲＬ情報に基づいて予約完了状況の確認を行なうことができる。例えば、ＣＤＳサービス準拠の取得コマンドのレスポンスがエラーである場合は録画失敗と判断したり、コンテンツ情報中の録画時間が短ければ録画失敗と判断したりできる。【００３８】
また、例えば、テレビ受信器２００Ａ乃至２００Ｃが所定期間の過去の電子番組表情報を記憶しておき、過去の電子番組表情報を表示させる際にＤＬＮＡ公開ＩＤを追加表示するようにしてもよい。あるいは録画成否をＣＤＳサービス準拠の取得コマンドを利用して判断し、ＤＬＮＡ公開ＩＤの追加表示に代えて判断結果を過去の電子番組表情報に表示するようにしてもよい。これにより、電子番組表操作のみで簡単に録画番組の再生が可能となる。
【産業上の利用可能性】
【００３９】
本発明は、テレビ受信器が複数台と、少なくともひとつの記録装置とが接続されたネットワークシステムに利用可能である。
【図１】
2009125546.tif 000003
【図２Ａ】
2009125546.tif 000004
【図２Ｂ】
2009125546.tif 000005
【図２Ｃ】
2009125546.tif 000006
【図３】
2009125546.tif 000007
【図４Ａ】
2009125546.tif 000008
【図４Ｂ】
2009125546.tif 000009
【図４Ｃ】
2009125546.tif 000010
【図５Ａ】
2009125546.tif 000011
【図５Ｂ】
2009125546.tif 000012
【図５Ｃ】
2009125546.tif 000013
【図６】
2009125546.tif 000014
【図７Ａ】
2009125546.tif 000015
【図７Ｂ】
2009125546.tif 000016
【図７Ｃ】
2009125546.tif 000017
【図７Ｄ】
2009125546.tif 000018
【図８】
2009125546.tif 000019
【手続補正書】
【提出日】平成22年3月23日(2010.3.23)
【手続補正１】
【補正対象書類名】明細書
【補正対象項目名】全文
【補正方法】変更
【補正の内容】
【発明の詳細な説明】
【技術分野】
【０００１】
本発明は、ホーム・ネットワークにおけるテレビ放送の番組の録画予約の表示システムおよび方法に関する。
【背景技術】
【０００２】
ひとつの記録装置（録画サーバ）に対し、複数のテレビ受信器や複数のコンピュータ（予約クライアント）が接続されたホーム・ネットワークシステムが家庭で利用されるようになってきている。そのホーム・ネットワークシステムの一例を図１に示す。
図１において、記録装置１は、テレビ受信器Ｘ，Ｙ，Ｚに接続されている録画サーバである。テレビ受信器Ｘ，Ｙ，Ｚは、いずれも番組録画予約機能を有する予約クライアントである。
【０００３】
ところで、番組を録画予約する際に番組を指定する方法（番組指定方法）として、種々の方法が知られている。その代表例として次の４種がある。
（１）ダイレクトチャンネル（DIRECT MANUAL） 法
（２）ダイレクトＣＤＳ  ＥＰＧ (DIRECT CDSEPG) 法
（３）ダイレクトＣＤＳ  ＮＯＮＥＰＧ (DIRECT CDSNONEPG) 法
（４）ダイレクトプログラムコード (DIRECT PROGRAM CODE) 法
【０００４】
上記（１）は、選局用リモコン番号などチャンネルを一意に識別する情報（以後、チャンネル情報と記載する）と録画開始時刻、録画時間とを指定することで、予約クライアントが録画したい番組を一意に指定する方法である。
上記（２）は、録画サーバがＤＬＮＡ（Digital Living Network Alliance）ガイドラインに基づいてＥＰＧ情報（電子番組ガイド）を番組単位で公開する機能を有する場合において、予約クライアントがＤＬＮＡガイドラインにて規定されているＣＤＳ（Content Directory Service）のコンテンツ検索コマンド（以後、CDS:Browseと記載する）を用いて番組の番組識別情報（CDS Item ID）を検索し、当該番組識別情報（CDS Item ID）を指定することで録画したい番組を一意に指定する方法である。
上記（３）は、録画サーバがＤＬＮＡガイドラインに基づいてEPG情報をチャンネル単位で公開する機能を有する場合において、予約クライアントが予約したい番組を放送している放送局の仮想チャンネルＩＤ（CDS Item ID）をCDS:Browseコマンドを用いて検索し、仮想チャンネルＩＤ（CDS Item ID）と録画開始時刻、録画時間とを指定することで録画したい番組を一意に指定する方法である。
上記（４）は、第三者機関が各番組ごとに固有のＩＤを割り振り新聞や雑誌などで公開している場合において、予約クライアントが番組固有ＩＤ（Program Code）を指定することで録画したい番組を一意に指定する方法である。
テレビ受信器Ｘは、上記（１）の予約機能を有し、テレビ受信器Ｙは、上記（１）と（２）の予約機能を有し、テレビ受信器Ｚは、上記（１）と（３）の予約機能を有しているものとする。また、記録装置は、（１）、（２）、（３）による番組予約機能を提供するものとする。
【０００５】
今、利用者により、テレビ受信器Ｘにおいて番組「朝のニュース」を（１）の方法で指定して予約し、テレビ受信器Ｙにおいて番組「日本料理」を（２）の方法で指定して予約し、テレビ受信器Ｚにおいて番組「ゴルフレッスン」を（３）の方法で指定して予約したとする。これら３つの予約情報は、記録装置１に送られ、受け付けられる。具体的には、予約クライアントであるテレビ受信器Ｘ、Ｙ、Ｚは、ＤＬＮＡで規定されるＳＲＳ（Scheduled Recording Service）の予約投入コマンド（SRS:CreateRecordSchedule）をＳＯＡＰ（Simple Object Access Protocol）にて規定されるプロトコルで記録装置１へ送信する。記録装置１は、予約投入コマンドのレスポンスとして予約識別ＩＤと録画先情報を含む予約録画完了情報とを対応する予約クライアントに送信すると共に、予約時間が来ると、予約した録画を実行する。
【０００６】
利用者がテレビ受信器Ｘの画面上において、記録装置１が受け付けた全ての予約情報の一覧表を見ようとした場合、テレビ受信器Ｘは記録装置１に対してＳＲＳの予約一覧取得コマンド（SRS:BrowseRecordSchedules）を作成してＳＯＡＰプロトコルで送信し、そのレスポンスとして予約一覧情報を受信し、受信した予約一覧情報を表示させることで全ての予約情報の一覧を確認できる。しかし、通常、予約一覧情報における予約番組情報は前記テレビ受信器X、Y、Zが各々予約した際に指定した前記（１）、（２）、（３）の情報として返される。したがってテレビ受信器Ｘには予約機能（１）しか備わっていないので、予約機能（１）で予約した番組情報だけしか見ることができない。すなわち、テレビ受信器Ｘで予約された「朝のニュース」は、予約の確認をすることができるが、「日本料理」と「ゴルフレッスン」は、予約の確認をすることができない（図２Ａ）。
同様に、利用者がテレビ受信器Ｙの画面上において、記録装置１が受け付けた全ての予約情報の一覧表を見ようとした場合、テレビ受信器Ｙには予約機能（１）、（２）しか備わっていないので、予約機能（１）、（２）で予約した番組「朝のニュース」と「日本料理」の情報だけしか見ることができない（図２Ｂ）。
【０００７】
また、同様に、利用者がテレビ受信器Ｚの画面上において、記録装置１が受け付けた全ての予約情報の一覧表を見ようとした場合、テレビ受信器Ｚには予約機能（１）、（３）しか備わっていないので、予約機能（１）、（３）で予約した番組「朝のニュース」と「ゴルフレッスン」の情報だけしか見ることができない（図２Ｃ）。
【先行技術文献】
【特許文献】
【０００８】
【特許文献１】特開２００５−２４４３７２号公報
【発明の概要】
【発明が解決しようとする課題】
【０００９】
以上、説明したように、予約クライアントが対応する／解釈可能な番組指定方法は機種毎に異なるため、特定の番組指定方法にしか対応していないテレビ受信器においては、種々のテレビ受信器Ｘ，Ｙ，Ｚからなされた予約情報の全てを見ることができない場合が生じていた。
従って本発明では、ひとつのテレビ受信器で、記録装置が受け付けた全ての予約情報を見ることができるようにすることを、課題とする。
【課題を解決するための手段】
【００１０】
本発明の第１の観点によると、テレビ番組の予約を指示する機能を備えた予約器が複数台と、少なくともひとつの記録装置とが接続されたネットワークシステムにおいて、
上記記録装置は、
各予約器から送られてくる番組予約指示に対し、予め決められた共通予約コードを作成する共通予約コード作成手段と、
共通予約コードと共に番組予約指示を順次受け付け、記憶するメモリと、を有する一方、
上記予約器のそれぞれは、
予約一覧表の要求を出力する要求出力手段と、
予約一覧表の要求に基づき、上記記録装置から送られてくる共通予約コードを含む番組予約指示の全てを受ける予約指示受信手段と、
番組予約指示から共通予約コードだけを読み取る読み取り手段と、
共通予約コードを用いて予約一覧表を作成する予約一覧表作成手段と
を有する、ネットワークシステムを提供する。
【００１１】
本発明の第２の観点によると、テレビ番組の予約を指示する機能を備えた予約器が複数台と、少なくともひとつの記録装置とが接続されたネットワークシステムにおける予約一覧表を表示する方法であって、
上記記録装置において、
各予約器から送られてくる番組予約指示に対し、予め決められた共通予約コードを作成するステップと、
共通予約コードと共に番組予約指示を順次受け付け、記憶するステップを有する一方、
上記予約器のそれぞれにおいて、
予約一覧表の要求を出力するステップと、
予約一覧表の要求に基づき、上記記録装置から送られてくる共通予約コードを含む番組予約指示の全てを受けるステップと、
番組予約指示から共通予約コードだけを読み取るステップと、
共通予約コードを用いて予約一覧表を作成するステップと
を有する、ネットワークシステムの予約一覧表の表示方法を提供する。
なお、予約器とは、予約機能を有する機器、例えばテレビ受信器、記録装置、携帯電話、パソコンなどを言う。
【発明の効果】
【００１２】
本発明においては、記録装置において、予約情報を共通予約コードで生成するので、共通予約コードを識別可能なネットワークに接続されたある一つのテレビ受信器（本テレビ受信器という）において、ネットワークに接続された他のテレビ受信器が対応し、本テレビ受信器は対応しない番組指定方法で予約された番組であっても、予約された番組は、もれなく予約一覧表に表すことができる。
【図面の簡単な説明】
【００１３】
【図１】従来のネットワークシステムのブロック図である。
【図２Ａ】従来のテレビ受信器で表示される予約情報の一覧表を示した画面表示例である。
【図２Ｂ】別の従来のテレビ受信器で表示される予約情報の一覧表を示した画面表示例である。
【図２Ｃ】更に別の従来のテレビ受信器で表示される予約情報の一覧表を示した画面表示例である。
【図３】本発明に係るネットワークシステムのブロック図である。
【図４Ａ】本発明に係るテレビ受信器で表示される予約情報の一覧表を示した画面表示例である。
【図４Ｂ】本発明に係る別のテレビ受信器で表示される予約情報の一覧表を示した画面表示例である。
【図４Ｃ】本発明に係る更に別のテレビ受信器で表示される予約情報の一覧表を示した画面表示例である。
【図５Ａ】本発明に係るテレビ受信器の予約機能に係る部分のブロック図である。
【図５Ｂ】本発明に係る別のテレビ受信器の予約機能に係る部分のブロック図である。
【図５Ｃ】本発明に係る更に別のテレビ受信器の予約機能に係る部分のブロック図である。
【図６】本発明に係る記録装置のブロック図である。
【図７Ａ】テレビ受像器２００Ａからの録画予約情報のコマンド例である。
【図７Ｂ】テレビ受像器２００Ｂからの録画予約情報のコマンド例である。
【図７Ｃ】テレビ受像器２００Ｃからの録画予約情報のコマンド例である。
【図７Ｄ】記録装置から送信される予約一覧取得コマンドのレスポンス例である。
【図８】録画予約一覧表の一例である。
【発明を実施するための形態】
【００１４】
本発明にかかる番組の録画予約の表示システムは、少なくともひとつの録画サーバに対し、複数の予約クライアントが接続されたネットワークシステムにおいて用いられる。録画サーバはチューナから受信した映像信号や外部入力端子から入力された信号を録画する機能を備えた装置であり、例えばビデオデッキ、ハードディスク／ＤＶＤレコーダ、パーソナルコンピュータ、携帯電話、ソフトウェアプログラムなどがこれに相当する。予約クライアントはユーザによる入力に応じて特定の番組をネットワーク経由で予約する機能を備えた装置であり、例えばテレビ受信器、パーソナルコンピュータ、ハードディスク／ＤＶＤレコーダ、携帯電話、ソフトウェアプログラムなどが相当する。
【００１５】
＜実施の形態１＞
図３は、本発明にかかる番組の録画予約の表示システムが備わったネットワークシステムを示す。図３において１００は記録装置、２００Ａ，２００Ｂ，２００Ｃはテレビ受信器である。テレビ受信器を一般的に示す場合はテレビ受信器２００とあらわす。
テレビ受信器２００Ａ，２００Ｂ，２００Ｃは、いずれも、少なくとも１種類の番組録画予約機能を有する。たとえば、テレビ受信器２００Ａは、上述した（１）の番組指定方法による予約機能を有するものとする。テレビ受信器２００Ｂは、上述した（１）と（２）の２つの番組指定方法による予約機能を有するものとする。テレビ受信器２００Ｃは、上述した（１）と（３）の番組指定方法による予約機能を有するものとする。ここで示す予約機能は、単なる一例であり、他の予約機能を有するものであってもよい。
図５Ａ，５Ｂ，５Ｃは、それぞれ、本発明にかかる録画予約装置を備えたテレビ受信器２００Ａ，テレビ受信器２００Ｂ，テレビ受信器２００Ｃを示す。
【００１６】
テレビ受信器２００Ａ，２００Ｂ，２００Ｃのいずれも、Ｉ／Ｏポート２０と、ＤＬＮＡ解析部２１と、予約一覧データ抽出部２２と、番組識別情報解読・生成部２４と、タグ検出部２６と、共通予約コード読み取り部２８と、情報組み立て部３０と、予約一覧表作成部３２と、操作部３４を有する。操作部３４は、例えばＧＵＩ画面描画制御部（図示せず）及びテレビ受信器のリモコン受光部（図示せず）からなり、電子番組表や番組識別情報入力画面を描画し、リモコン操作により電子番組表から予約したい番組の予約操作を番組識別情報解読・生成部２４へ指示したり、ユーザが入力した番組識別情報（例えばチャンネル番号と録画開始時刻、録画時間、録画画質などの入力情報）に基づき番組予約操作を番組識別情報解読・生成部２４へ指示する。
【００１７】
テレビ受信器２００Ａは、（１）の番組識別方法のみに対応するため、番組識別情報解読・生成部２４には、手動入力予約解読・生成部２４ａのみが備わっている。
テレビ受信器２００Ｂは、（１）ダイレクトチャンネル（DIRECT MANUAL）法と、（２）ダイレクトＣＤＳ  ＥＰＧ (DIRECT CDSEPG)法の２つの予約機能を有するので、番組識別情報解読・生成部２４には、手動入力予約解読・生成部２４ａと、ＣＤＳ  ＥＰＧ入力予約解読・生成部２４ｂが備わっている。
テレビ受信器２００Ｃは、（１）ダイレクトチャンネル（DIRECT MANUAL）法と、（２）ダイレクトＣＤＳ  ＮＯＮＥＰＧ (DIRECT CDSNONEPG)法の２つの予約機能を有するので、番組識別情報解読・生成部２４には、手動入力予約解読・生成部２４ａと、ＣＤＳ  ＮＯＮＥＰＧ入力予約解読・生成部２４ｃが備わっている。
【００１８】
今、テレビ受信器２００Ａにおいて、ユーザにより番組「朝のニュース」を放送する放送局のチャンネル番号と、番組「朝のニュース」の放送開始日時、番組「朝のニュース」の番組放映時間とが、操作部３４を介して入力され、「朝のニュース」の番組が予約されたとする。この場合は、図５Ａの手動入力解読・生成部２４ａにより、手動入力に基づく予約コードデータＲａ（Ｄ１）（ＳＲＳサービス準拠）が作成され、作成された予約コードデータＲａ（Ｄ１）はＤＬＮＡ解析部２１においてSRS:CreateRecordScheduleコマンドとして作成され、Ｉ／Ｏポート２０を介して記録装置１００に送られる。
続いて、テレビ受信器２００Ｂでは、ＤＬＮＡガイドラインに基づき、記録装置１００のＥＰＧ情報をCDS:Browseコマンドで取得し、当該EPG情報を操作部３４において電子番組表として表示する。ユーザが、操作部３４が表示する電子番組表を介して「日本料理」の番組を選択し予約操作を行った場合、当該番組の番組識別情報（CDS item ID）を前記CDS:Browseコマンドのレスポンスから抽出し図５ＢのＣＤＳ  ＥＰＧ入力予約解読・生成部２４ｂに引き渡す。CDS EPG入力予約解読生成部２４ｂは、番組識別情報（CDS Item ID）から予約コードデータＲｂ（Ｄ１）を作成し、作成された予約コードデータＲｂ（Ｄ１）はＤＬＮＡ解析部２１においてSRS:CreateRecordScheduleコマンドとして作成され、Ｉ／Ｏポート２０を介して記録装置１００に送られる。
【００１９】
さらにその後、テレビ受信器２００Ｃでは、ＤＬＡＮガイドラインに基づき、記録装置１００のチャンネル情報をCDS:Browseコマンドで取得し、操作部３４により取得したチャンネル情報をチャンネルリストとして表示する。ユーザが、操作部３４が表示するチャンネルリストを介して「ゴルフレッスン」の番組が放送されるチャンネルとその時間帯が選択し予約操作を行った場合、当該チャンネルの仮想チャンネルＩＤ（CDS item ID）を前記CDS:Browseコマンドのレスポンスから抽出し放送時間帯と共に図５ＣのＣＤＳ  ＮＯＮＥＰＧ入力解読・生成部２４ｃに引き渡す。ＣＤＳ  ＮＯＮＥＰＧ入力解読・生成部２４ｃは仮想チャンネルＩＤ（CDS item ID）と放送時間帯により、ＣＤＳ  ＮＯＮＥＰＧ入力に基づく予約コードデータＲｃ（Ｄ１）を作成し、作成された予約コードデータＲｃ（Ｄ１）はＤＬＮＡ解析部２１においてSRS:CreateRecordScheduleコマンドとして作成され、Ｉ／Ｏポート２０を介して記録装置１００に送られる。
ここで、図７Ａ，７Ｂ，７Ｃは、それぞれテレビ受信器２００Ａ，２００Ｂ，２００Ｃにおける録画予約時のSRS:CreateRecordScheduleコマンド内のＸＭＬ文書（SRS Document）で示された録画予約情報の例を示す。
【００２０】
図７Ａは、テレビ受信器２００Ａ内で作成された録画予約情報７０１を示す。録画予約情報７０１は、図５Ａの予約コードＲａ（Ｄ１）で示される番組「朝のニュース」の録画予約情報である。上述したように、テレビ受信器２００Ａによる予約は（１）ダイレクトチャンネル（DIRECT MANUAL） 法に基づくので、録画予約番組は、予約方法が（１）であることを指定する情報（ｃｌａｓｓ要素）と、前記チャンネル情報を指定する情報（scheduledChannelID要素）と、録画開始時間（scheduledStartDateTime要素）と、録画期間（scheduledDuration要素）を組み合わせた情報７０４によって識別される。
【００２１】
図７Ｂは、テレビ受信器２００Ｂ内で作成された録画予約情報７０２を示す。録画予約情報７０２は、図５Ｂの予約コードＲｂ（Ｄ１）で示される番組「日本料理」の録画予約情報である。上述したように、テレビ受信器２００Ｂによる予約は（２）ダイレクトＣＤＳ  ＥＰＧ (DIRECT CDSEPG) 法に基づくので、録画予約番組は、予約方法が（２）であることを指定する情報（class要素）と、ＤＬＮＡサーバである記録装置１００が各番組毎に割り当てた前記番組識別情報（CDS Item ID）（scheduledCDSObjectID要素）７０５によって識別される。なお、前述のように番組識別情報（CDS Item ID）は、ＤＬＮＡクライアントであるテレビ受信器２００Ｂが、ＤＬＮＡコンテンツとして番組を検索することによって取得される。
【００２２】
図７Ｃは、テレビ受信器２００Ｃ内で作成された録画予約情報７０３を示す。録画予約情報７０３は、図５Ｃの予約コードＲｃ（Ｄ１）で示される番組「ゴルフレッスン」の録画予約情報である。上述したように、テレビ受信器２００Ｃによる予約は（３）ダイレクトＣＤＳ  ＮＯＮＥＰＧ (DIRECT CDSNONEPG) 法に基づくので、録画予約番組は、予約方法が（３）であることを指定する情報（class要素）と、ＤＬＮＡサーバである記録装置１００が各チャンネル毎に割り当てた前記仮想チャンネルＩＤ（CDS Item ID）（ScheduledCDSObjectID要素）と、録画開始時間（scheduledStartDateTime要素）と、録画期間（scheduledDuration要素）を組み合わせた情報７０６によって識別される。なお、前述のように仮想チャンネルＩＤ（CDS Item ID）は、ＤＬＮＡクライアントであるテレビ受信器２００Ｃが、ＤＬＮＡコンテンツとしてチャンネルを検索することによって取得される。
【００２３】
図６は、本発明にかかる録画予約装置を備えた記録装置１００を示す。記録装置１００は、Ｉ／Ｏポート２と、ＤＬＮＡ解析部４と、番組識別情報解読・変換部６と、共通予約コード作成部８と、共通予約タグ挿入部１０と、予約キューリストメモリ１２と、タイマー１４と、レコーダ１６を有する。
【００２４】
以下の説明では、テレビ受信器２００Ａで「朝のニュース」の予約がなされ、テレビ受信器２００Ｂで「日本料理」の予約がなされた後、テレビ受信器２００Ｃから「ゴルフレッスン」の番組が予約される場合について説明する。ＤＬＮＡ解析部４は、Ｉ／Ｏポート２を介して受信したＳＯＡＰコマンドを解析し、解析結果を番組識別情報解読・変換部６または予約キューリストメモリ１２へ出力する。例えば、テレビ受信器２００ＣからSRS:CreateRecordScheduleコマンドにより予約コードデータＲｃ（Ｄ１）を受信した場合は、SRS:CreateRecordScheduleコマンドから予約コードデータＲｃ（Ｄ１）を抽出し、抽出された予約コードデータＲｃ（Ｄ１）を番組識別情報解読・変換部６へ出力する。また、例えば、テレビ受信器２００Ｃから予約一覧取得コマンドSRS:BrowseRecordSchedulesコマンドを受信した場合は、予約キューリストメモリ１２へ予約一覧データ取得要求を出力する。
【００２５】
番組識別情報解読・変換部６は、予約コードデータＲｃ（Ｄ１）を解析して番組識別情報を抽出するとともに、番組識別情報を記録装置１００に対応するチューナ情報／録画タイマー情報に変換して予約キューリストメモリ１２へ記憶させる。ここで番組識別情報解読・変換部６には種々解読部が備わっている。図６に示す例では、手動入力予約解読部６ａ、ＣＤＳ  ＥＰＧ入力予約解読部６ｂ、ＣＤＳ  ＮＯＮＥＰＧ入力予約解読部６ｃ、プログラムコード入力予約解読部６ｄの４つの解読部が備わっている。予約コードデータＲｃ（Ｄ１）は、（３）ダイレクトＣＤＳ  ＮＯＮＥＰＧ (DIRECT CDSNONEPG) 法で予約されたので、ＣＤＳ  ＮＯＮＥＰＧ入力予約解読部６ｃで解読される。どの方式で予約されたかを判別するため、例えば識別コード又はフラグが予約コードデータＲｃ（Ｄ１）に備わっている。
【００２６】
番組識別情報解読・変換部６のＣＤＳ  ＮＯＮＰＥＧ入力予約解読部６ｃでオリジナルデータであるチューナ情報、録画タイマー情報に変換された予約コードデータに関するデータを含むものをＲｃ（Ｄ１，Ｄ２）とする。ここでＤ１は、（３）の番組識別方法による番組識別ＩＤである。Ｄ２は、変換後の、記録装置１００が実際に録画開始するために必要な録画予約情報であり、例えばチューナ情報や、録画タイマー情報、画質等の録画パラメータ情報がこれに当たる。予約コードデータＲｃ（Ｄ１，Ｄ２）には、予約クライアントであるテレビ受信器２００Ｃから予約された際に指定された番組識別情報であるパラメータＤ１と変換後の録画予約情報パラメータＤ２の両方が加わっている。
【００２７】
共通予約コード作成部８は、解読／変換した録画予約情報を、共通予約コードに変換し、共通予約コードＤ３を作成する。共通予約コードＤ３は、解読部６ａ〜６ｄのいずれかひとつの方式による番組識別ＩＤ、たとえば、チャンネル番号と録画開始日時、録画時間により番組を指定する（１）の番組識別方法を採用してもよいし、解読６ａ〜６ｄ以外の方式によるコードを採用してもよい。共通予約コードに変換された予約コードは、パラメータＤ３で表される。ここでは、放送局を特定するための識別子（ｎｅｔｗｏｒｋ＿ｉｄ、ｔｒａｎｓｐｏｒｔ＿ｉｄ、ｓｅｒｖｉｃｅ＿ｉｄ）と番組を特定するための識別子（ｅｖｅｎｔ＿ｉｄ）からなるＳＩ（Ｓｅｒｖｉｃｅ  Ｉｎｆｏｒｍａｔｉｏｎ）情報を共通予約コードとして設定する。
共通予約タグ挿入部１０は、共通予約コード作成部８で作成された共通予約コード、すなわち、パラメータＤ３に対し共通予約タグを加える。共通予約タグの代わりに、識別フラグや識別ＩＤ等の識別マークを加えるようにしてもよい。共通予約タグが加わった予約コードデータをＲｃ（Ｄ１，Ｄ２，Ｄ３）とする。なお、共通予約タグ挿入部１０から出力される予約コードデータにおいてパラメータＤ１，Ｄ２の両方、またはいずれか一方を省略してもよい。
【００２８】
予約キューリストメモリ１２には、テレビ受信器２００Ａ，２００Ｂまたは２００Ｃから送られてきた予約コードデータが順番に蓄えられる。ここで説明する例においては、すでに予約コードデータＲａ（Ｄ１，Ｄ２，Ｄ３）、Ｒｂ（Ｄ１，Ｄ２，Ｄ３）が記録されており、今、まさに３つ目の予約コードデータＲｃ（Ｄ１，Ｄ２，Ｄ３）が記録されるところである。パラメータＤ１，Ｄ２，Ｄ３は、互いに表現形式が異なるパラメータであるが、いずれも、少なくとも予約チャンネル、予約開始時刻、予約終了時刻（または番組時間長さ）の情報を有するパラメータである。
タイマー１４は、予約キューリストメモリ１２に記録されている各予約コードデータのパラメータＤ２のうちの録画開始日時を確認し、タイマー１４の時刻が各予約コードデータＲａ，Ｒｂ，Ｒｃのいずれかの録画開始日時に到達した場合、パラメータＤ２の情報に基づいてレコーダ１６にチャンネル番号と録画時間、録画パラメータを通知し、記録装置１００のチューナ等の選局・受信手段（図示せず）を介して番組の録画を開始させる。
【００２９】
次に、全ての予約情報を用いて予約一覧表が作成される動作について説明する。まず、テレビ受信器２００Ｃにおいて、全ての予約情報を見るための動作について説明する。
【００３０】
図５Ｃの操作部３４により、予約一覧表を作成するための予約一覧データの要求が出される。具体的には予約一覧取得コマンドであるSRS:BrowseRecordSchedulesコマンドが記録装置１００へ送信される。この要求は、ＤＬＮＡ解析部４、Ｉ／Ｏポート２０、２を介して予約キューリストメモリ１２（図６）に送られる。従来の方法であれば、予約一覧取得コマンドのレスポンスとして各予約コードデータのパラメータＤ１のみが送信されるが、本実施の形態では、予約キューリストメモリ１２から予約コードデータの全てであるＲａ（Ｄ１，Ｄ２，Ｄ３）、Ｒｂ（Ｄ１，Ｄ２，Ｄ３）、Ｒｃ（Ｄ１，Ｄ２，Ｄ３）の各パラメータＤ１とともに、パラメータＤ２，Ｄ３が予約一覧取得コマンドのレスポンスとして送信される。
【００３１】
ここで、図７Ｄに予約一覧取得コマンドのレスポンスとして記録装置１００から送信されるSRS:BrowseRecordSchedulesレスポンス内における録画予約一覧情報の例を示す。録画予約一覧情報７０７には、共通予約コード７０８（Ｄ３に相当する）が含まれている。録画予約一覧情報７０７には、共通予約コード７０８の他、各録画予約番組の番組識別情報７０４〜７０６（Ｄ１に相当する）が含まれる。
【００３２】
なお、テレビ受信機２００Ａ，２００Ｂ，２００Ｃで録画予約された番組以外に、記録装置１００自身において録画予約した番組も、録画予約一覧情報７０７に含まれていてもよい。この場合、記録装置１００自身においてする予約は、SRS:CreateRecordScheduleコマンドによる予約ではないので、共通予約コード７０８のみの情報となるか、直接チャンネル指定がなされた予約として扱われ、番組識別情報７０４のパターンの情報と共通予約コード７０８の組み合わせの情報となる。
【００３３】
上記レスポンスはＩ／Ｏポート２，２０、ＤＬＮＡ解析部２１を介して予約一覧データ抽出部２２に送られる。予約一覧データ抽出部２２では、予約一覧取得要求コマンド（SRS:BrowseRecordSchedules）の応答パケットから予約一覧データである予約コードデータのパラメータＤ１，Ｄ３が抽出される。タグ検出部２６は、抽出されたパラメータＤ３の共通番組識別情報タグを検出する。検出された共通予約タグで特定される共通番組識別ＩＤが、共通予約コード読み取り部２８で読み取られる。従って、共通予約コード読み取り部２８からは、共通予約コードのみのパラメータＤ３で表された予約コード群Ｒａ（Ｄ３），Ｒｂ（Ｄ３），Ｒｃ（Ｄ３）が出力される。情報組み立て部３０は、予約コード群にある共通予約コードのパラメータＤ３を用いて予約一覧表に必要なデータを組み合わせる。予約一覧表作成部３２は、全ての予約の一覧表を作成し、画面に表示する（図４Ｃ）。図４Ｃに示すように、テレビ受信器２００Ｃで予約一覧表を見る場合、テレビ受信器２００Ｃで行った予約番組（ゴルフレッスン）のみならず、他のテレビ受信器２００Ａ，２００Ｂで行った予約番組であって、テレビ受信器２００Ｃにはない予約機能により予約された番組も、もれなく予約一覧表に表すことができる。すなわち、予約一覧表は、共通予約コードのパラメータＤ３を用いて作成されているので、どのテレビ受信器、またはどの予約方式で予約を行ったかに関係なく、予約された番組がもれなく全て表示される。
【００３４】
図８に録画予約一覧表を示す。録画予約一覧表は、全てのテレビ受信器で録画予約した番組を表示するだけでなく、記録装置１００自身により録画予約した番組、例えば「ドラマ１４時」も表示する。なお、録画予約した番組が、通常の録画予約である場合はハイライト表示８０１がなされ、自動録画予約である場合は白抜き表示８０２がなされるようにしても良い。ここで、通常の録画予約とは、番組に対し、個々に予約を行う場合を言い、自動録画予約とは、例えば連続する番組「スタートレック」のある回の録画予約を行うと、次回以降は自動的に録画予約がなされる予約を言う。自動録画予約はユーザの視聴履歴等に基づいて行うことも可能である。
【００３５】
また、自動録画予約番組である場合は、たとえＳＯＡＰレスポンスとして録画予約情報を受信していたとしても表示しないようにしてもよい。
また、記録装置１００では、自動録画予約と通常の録画予約に優先順位付けを行い、例えば、自動録画予約番組の録画予約コマンドを受信した場合は、記録装置１００自身の記録可能容量に基づいて録画可否を判断するようにしてもよい。
また、既に自動録画予約されている場合において、ユーザによる通常の録画予約が投入された場合、自動録画予約と通常の録画予約の録画時間が少なくとも一部分重複したり、録画に必要な記録容量が足りない場合などは、通常の録画予約を優先するものとし、例えば自動録画予約の時間を短く調節するなどしてもよい。
このほか、記録容量が足りなくなった場合は、自動録画番組を消去したり、未視聴期間が長い自動録画番組を自動的に削除しても良い。
以上の説明において、テレビ受信器を用いて予約動作を行う説明をしたが、テレビ受信器以外の機器、例えば録画装置、携帯電話、パソコンなどによってもネットワークシステムに接続されていれば予約動作を行う事ができる。ここでは予約動作を行うことができる機器を予約器と言う。
【００３６】
なお、テレビ受信器２００Ｃにおいて、従来のやり方で予約一覧データを見ることも可能である。この場合は、予約一覧データの表示モードを、従来モードに切り替えると、予約一覧データ抽出部２２からのデータは、番組識別情報解読・生成部２４に送られ、存在する予約機能に対応する予約一覧データだけを見ることが可能となる。この場合は、テレビ受信器２００Ｃに備わっている予約機能に対応した機能で予約された番組のみ予約一覧表に現れる。
以上、テレビ受信器２００Ｃにおける全ての予約情報を見るための動作について説明したが、テレビ受信器２００Ａ及びテレビ受信器２００Ｂにおいても同様の処理を行なうことにより、テレビ受信器２００Ａからテレビ受信器２００Ｃの全ての予約一覧表を作成し、画面表示することができる（図４Ａ、図４Ｂ参照）。
【００３７】
なお、本実施の形態では、記録装置１００は予約一覧取得コマンドのレスポンスとして共通予約コードをテレビ受信器２００Ａ乃至２００Ｃへ送信しているが、共通予約コード作成部８が更にＤＬＮＡ公開ＩＤを作成し、共通予約コードとともにＤＬＮＡ公開ＩＤをレスポンスとして送信してもよい。この場合、テレビ受信器２００Ａ乃至２００Ｃは、ＤＬＮＡ公開ＩＤに対して、コンテンツ情報（ＤＩＤＬ：Ｄｉｇｉｔａｌ  Ｉｔｅｍ  Ｄｅｃｌａｒａｔｉｏｎ  Ｌａｎｇｕａｇｅ）を取得するためのＣＤＳ（Ｃｏｎｔｅｎｔ  Ｄｉｒｉｖｅｒｙ  Ｓｅｒｖｉｃｅ）サービス準拠の情報取得コマンドであるCDS:Browseコマンドを記録装置１００へ送信することで、そのレスポンスとしてコンテンツ情報やコンテンツのＵＲＬ情報を取得することができる。これにより、取得したコンテンツ情報やＵＲＬ情報に基づいて予約完了状況の確認を行なうことができる。例えば、ＣＤＳサービス準拠の取得コマンドのレスポンスがエラーである場合は録画失敗と判断したり、コンテンツ情報中の録画時間が短ければ録画失敗と判断したりできる。
【００３８】
また、例えば、テレビ受信器２００Ａ乃至２００Ｃが所定期間の過去の電子番組表情報を記憶しておき、過去の電子番組表情報を表示させる際にＤＬＮＡ公開ＩＤを追加表示するようにしてもよい。あるいは録画成否をＣＤＳサービス準拠の取得コマンドを利用して判断し、ＤＬＮＡ公開ＩＤの追加表示に代えて判断結果を過去の電子番組表情報に表示するようにしてもよい。これにより、電子番組表操作のみで簡単に録画番組の再生が可能となる。
【産業上の利用可能性】
【００３９】
本発明は、テレビ受信器が複数台と、少なくともひとつの記録装置とが接続されたネットワークシステムに利用可能である。
【符号の説明】
【００４０】
１００      記録装置
２００Ａ    テレビ受信器
２００Ｂ    テレビ受信器
２００Ｃ    テレビ受信器
４、２１    ＤＬＮＡ解析部
６          番組識別情報解読・変換部
８          共通予約コード作成部
１０        共通予約タグ挿入部
１２        予約キューリストメモリ
１４        タイマー
１６        レコーダ
２２        予約一覧データ抽出部
２４        番組識別情報解読・生成部
２６        タグ検出部
２８        共通予約コード読み取り部
３０        情報組み立て部
３２        予約一覧表作成部
３４        操作部
【手続補正２】
【補正対象書類名】特許請求の範囲
【補正対象項目名】全文
【補正方法】変更
【補正の内容】
【特許請求の範囲】
【請求項１】
テレビ番組の予約を指示する機能を備えた予約器が複数台と、少なくともひとつの記録装置とが接続されたネットワークシステムにおいて、
上記記録装置は、
各予約器から送られてくる番組予約指示に対し、予め決められた共通予約コードを作成する共通予約コード作成手段と、
共通予約コードと共に番組予約指示を順次受け付け、記憶するメモリと、を有する一方、
上記予約器のそれぞれは、
予約一覧表の要求を出力する要求出力手段と、
予約一覧表の要求に基づき、上記記録装置から送られてくる共通予約コードを含む番組予約指示の全てを受ける予約指示受信手段と、
番組予約指示から共通予約コードだけを読み取る読み取り手段と、
共通予約コードを用いて予約一覧表を作成する予約一覧表作成手段と
を有する、ネットワークシステム。
【請求項２】
テレビ番組の予約を指示する機能を備えた予約器が複数台と、少なくともひとつの記録装置とが接続されたネットワークシステムに用いられる記録装置において、
各予約器から送られてくる番組予約指示に対し、予め決められた共通予約コードを作成する共通予約コード作成手段と、
共通予約コードと共に番組予約指示を順次受け付け、記憶するメモリと、を有する記録装置。
【請求項３】
テレビ番組の予約を指示する機能を備えた予約器が複数台と、少なくともひとつの記録装置とが接続されたネットワークシステムに用いられる予約器において、
予約一覧表の要求を出力する要求出力手段と、
予約一覧表の要求に基づき、上記記録装置から送られてくる共通予約コードを含む番組予約指示の全てを受ける予約指示受信手段と、
番組予約指示から共通予約コードだけを読み取る読み取り手段と、
共通予約コードを用いて予約一覧表を作成する予約一覧表作成手段と
を有する予約器。
【請求項４】
テレビ番組の予約を指示する機能を備えた予約器が複数台と、少なくともひとつの記録装置とが接続されたネットワークシステムにおける予約一覧表を表示する方法であって、
上記記録装置において、
各予約器から送られてくる番組予約指示に対し、予め決められた共通予約コードを作成するステップと、
共通予約コードと共に番組予約指示を順次受け付け、記憶するステップを有する一方、
上記予約器のそれぞれにおいて、
予約一覧表の要求を出力するステップと、
予約一覧表の要求に基づき、上記記録装置から送られてくる共通予約コードを含む番組予約指示の全てを受けるステップと、
番組予約指示から共通予約コードだけを読み取るステップと、
共通予約コードを用いて予約一覧表を作成するステップと
を有する、ネットワークシステムの予約一覧表の表示方法。
【請求項５】
テレビ番組の予約を指示する機能を備えた予約器が複数台と、少なくともひとつの記録装置とが接続されたネットワークシステムに用いられる記録装置おける記録方法であって、
各予約器から送られてくる番組予約指示に対し、予め決められた共通予約コードを作成するステップと、
共通予約コードと共に番組予約指示を順次受け付け、記憶するステップを有する記録方法。
【請求項６】
テレビ番組の予約を指示する機能を備えた予約器が複数台と、少なくともひとつの記録装置とが接続されたネットワークシステムに用いられる予約器で予約一覧表を表示する方法であって、
予約一覧表の要求を出力するステップと、
予約一覧表の要求に基づき、上記記録装置から送られてくる共通予約コードを含む番組予約指示の全てを受けるステップと、
番組予約指示から共通予約コードだけを読み取るステップと、
共通予約コードを用いて予約一覧表を作成するステップと
を有する方法。
【手続補正３】
【補正対象書類名】図面
【補正対象項目名】全図
【補正方法】変更
【補正の内容】
【図１】
2009125546.tif 000020
【図２Ａ】
2009125546.tif 000021
【図２Ｂ】
2009125546.tif 000022
【図２Ｃ】
2009125546.tif 000023
【図３】
2009125546.tif 000024
【図４Ａ】
2009125546.tif 000025
【図４Ｂ】
2009125546.tif 000026
【図４Ｃ】
2009125546.tif 000027
【図５Ａ】
2009125546.tif 000028
【図５Ｂ】
2009125546.tif 000029
【図５Ｃ】
2009125546.tif 000030
【図６】
2009125546.tif 000031
【図７Ａ】
2009125546.tif 000032
【図７Ｂ】
2009125546.tif 000033
【図７Ｃ】
2009125546.tif 000034
【図７Ｄ】
2009125546.tif 000035
【図８】
2009125546.tif 000036
【国際調査報告】
2009125546.tif 000037
2009125546.tif 000038
2009125546.tif 000039